(57)【要約】      （修正有）【課題】着座姿勢が正しくないか、あまりにも長時間続いているときには、ユーザーのためにリマインド（催告）通知するリマインダー機能を有する椅子を提供する。【解決手段】椅子本体、リマインダー３０及び着座姿勢決定装置２０を備え、椅子本体は座部及び背もたれを有し、着座姿勢決定装置は着座デテクター２１、背もたれデテクター２２及びマイクロコントローラ２３を有し、着座デテクターは座部に装着され、ユーザーが座部に着座しているかどうかを検知し、背もたれデテクターは背もたれに装着され、ユーザーが背もたれにもたれ掛かっているかどうかを検知し、マイクロコントローラは着座デテクター、背もたれデテクター及びリマインダーに電気的に接続され、着座デテクター及び背もたれデテクターの検知結果に基づいてリマインダーを動作させてリマインド通知を発生するかどうかを決定して着座姿勢を調整し又は体をタイムリーに移動するようユーザーに対してリマインド（催告）する。【選択図】図２
0003194304.tif 000002
【実用新案登録請求の範囲】
【請求項１】
リマインダー機能を有する椅子であって、椅子は、
座部及び背もたれを有する椅子本体と、
リマインダーと、
椅子本体に装着された着座姿勢決定装置とを備え、着座姿勢決定装置は、
座部に装着された着座デテクターと、
背もたれに装着された背もたれデテクターと、
着座デテクター、背もたれデテクター及びリマインダーに電気的に接続されたマイクロコントローラとを備え、マイクロコントローラは、着座デテクター及び背もたれデテクターの検知結果に基づいてリマインダーを動作させてリマインド通知を発生するかどうかを決定するものであることを特徴とするリマインダー機能を有する椅子。
【請求項２】
マイクロコントローラは、着座デテクター及び背もたれデテクターに有線でそれぞれ電気的に接続された複数入力部を備えていることを特徴とする請求項１記載の椅子。
【請求項３】
背もたれデテクターは無線送信機に電気的に接続され、マイクロコントローラは無線受信機に電気的に接続され、無線送信機及び無線受信機はリマインド通知を送信するために相互に接続されていることを特徴とする請求項１記載の椅子。
【請求項４】
マイクロコントローラはリモコン装置に接続され、リモコン装置はマイクロコントローラの動作・停止操作を行うものであることを特徴とする請求項１記載の椅子。
【請求項５】
マイクロコントローラはリモコン装置に接続され、リモコン装置はマイクロコントローラの動作・停止操作を行うものであることを特徴とする請求項２記載の椅子。
【請求項６】
マイクロコントローラはリモコン装置に接続され、リモコン装置はマイクロコントローラの動作・停止操作を行うものであるいることを特徴とする請求項３記載の椅子。
【請求項７】
マイクロコントローラはマスタースイッチに接続されていることを特徴とする請求項１記載の椅子。
【請求項８】
マイクロコントローラはマスタースイッチに接続されていることを特徴とする請求項２記載の椅子。
【請求項９】
マイクロコントローラはマスタースイッチに接続されていることを特徴とする請求項３記載の椅子。
【請求項１０】
リマインダーは伝送路及びユニバーサルシリアルバス（ＵＳＢ）インターフェースを介してマイクロコントローラに接続されていることを特徴とする請求項１記載の椅子。
【請求項１１】
リマインダーは伝送路及びユニバーサルシリアルバス（ＵＳＢ）インターフェースを介してマイクロコントローラに接続されていることを特徴とする請求項２記載の椅子。
【請求項１２】
リマインダーは伝送路及びユニバーサルシリアルバス（ＵＳＢ）インターフェースを介してマイクロコントローラに接続されていることを特徴とする請求項３記載の椅子。
【請求項１３】
リマインダーは有線でマイクロコントローラのスピーカに接続されていることを特徴とする請求項１記載の椅子。
【請求項１４】
リマインダーは有線でマイクロコントローラのスピーカに接続されていることを特徴とする請求項２記載の椅子。
【請求項１５】
リマインダーは有線でマイクロコントローラのスピーカに接続されていることを特徴とする請求項３記載の椅子。
【請求項１６】
椅子本体は座部の両側に装着された２個の肘掛けを備え、マスタースイッチは肘掛けの何れか一方に装着されていることを特徴とする請求項７記載の椅子。
【請求項１７】
椅子本体は座部の両側に装着された２個の肘掛けを備え、マスタースイッチは肘掛けの何れか一方に装着されていることを特徴とする請求項８記載の椅子。
【請求項１８】
椅子本体は座部の両側に装着された２個の肘掛けを備え、マスタースイッチは肘掛けの何れか一方に装着されていることを特徴とする請求項９記載の椅子。
【請求項１９】
着座デテクターと背もたれデテクターとは、ノーマリーオープンマイクロスイッチであることを特徴とする請求項１記載の椅子。
【考案の詳細な説明】
【技術分野】
【０００１】
本考案は椅子に係り、特にリマインダー機能を有する椅子に関する。
【背景技術】
【０００２】
座りがちなライフスタイルによって、現代の人々は、多くの場合、長時間にわたって、仕事、レジャー、休息等のため椅子に着座している。しかしながら、着座姿勢（座位）が正しくないかあまりに長い時間続くならば、人々の健康を傷つけることがある。例えば、ユーザーが椅子に着座しているときユーザーの腰が完全に背もたれによってサポートされていないならば、筋肉の緊張や腰痛などの悪影響が頻繁な疲労と一緒に発生することがある。また、着座姿勢の過度の持続時間も、人々の健康を傷つけて肥満、関節の硬直、部分的な麻痺及びその他の有害な結果をもたらす（例えば、特許文献１参照）。
【先行技術文献】
【特許文献】
【０００３】
【特許文献１】ＴＷ Ｍ４８１６５４ Ｕ
【考案の概要】
【考案が解決しようとする課題】
【０００４】
上述のように、正しくない又は長時間の着座は、健康に悪影響をもたらす。本考案はリマインダー機能を有する椅子を提供し、この椅子は、着座姿勢が正しくないかあまりにも長時間続いているときには、ユーザーのためにリマインド（催告）通知を提供できるようにしたものである。
【課題を解決するための手段】
【０００５】
本考案の目的は椅子を提供するものである。椅子は、椅子本体と、リマインダー（催告手段）と、着座姿勢決定装置とを備えている。椅子本体は、座部と、背もたれとを備えている。着座姿勢決定装置は椅子本体に装着されている。着座姿勢決定装置は、着座デテクターと、背もたれデテクターと、マイクロコントローラとを備えている。着座デテクターは、座部に装着され、ユーザーが椅子に着座しているかどうかを検知する。背もたれデテクターは、背もたれに装着され、ユーザーが背もたれにもたれ掛かっているかどうかを検知する。マイクロコントローラは、着座デテクターと、背もたれデテクターと、リマインダーとに電気的に接続されている。マイクロコントローラは、着座デテクターと背もたれデテクターとの検知結果に基づいてリマインダーを動作させてリマインド通知を発生するかどうかを決定する。
【０００６】
好ましくは、マイクロコントローラは、着座デテクターと背もたれデテクターとに有線でそれぞれ電気的に接続された複数入力部を備えている。
【０００７】
好ましくは、背もたれデテクターは無線送信機に電気的に接続され、マイクロコントローラは無線受信機に電気的に接続され、無線送信機及び無線受信機はリマインド通知を送信するために相互に接続されている。
【０００８】
好ましくは、マイクロコントローラはリモコン装置に接続され、リモコン装置はマイクロコントローラの動作・停止操作を行うものである。
【０００９】
好ましくは、マイクロコントローラはマスタースイッチに接続されている。
【００１０】
好ましくは、リマインダーは伝送路及びユニバーサルシリアルバス（ＵＳＢ）インターフェースを介してマイクロコントローラに接続されている。
【００１１】
好ましくは、リマインダーは有線でマイクロコントローラのスピーカに接続されている。
【００１２】
より好ましくは、椅子本体は座部の両側に装着された２個の肘掛けを備え、マスタースイッチは肘掛けの何れか一方に装着されている。
【００１３】
好ましくは、着座デテクターと背もたれデテクターとは、ノーマリーオープンマイクロスイッチである。
【００１４】
本考案の着座姿勢決定装置は、ユーザーが正しい姿勢で椅子に着座しているか否かを決定するために使用される。ユーザーの姿勢が正しくないとき、例えば背もたれにもたれ掛かかることなく座部に座っている場合やあまりにも長い時間椅子本体に着座している場合、マイクロコントローラはリマインダーを動作させてユーザーにリマインド通知を発生する。ユーザーは、リマインド通知に基づいて、背もたれにもたれ掛かかるようにしたり、座部から起き上がり体を移動させたりして着座姿勢をタイムリーに調整することができる。したがって、ユーザーが、本考案の椅子を使用するとき、背もたれにもたれ掛かかっておらず又はあまりにも長い時間着座しているならば、健康に利益をもたらすために、着座姿勢を調整し又は体をタイムリーに移動するようユーザーに対してリマインド（催告）できる。
【００１５】
考案の他の目的、利点及び新規な特徴は、添付している図面とともに以下の詳細な説明からより明らかとなる。
【図面の簡単な説明】
【００１６】
【図１】本考案のリマインダー機能を有する椅子の斜視図である。
【図２】本考案の椅子の機能ブロック図である。
【図３】本考案の椅子のもう１つの機能ブロック図である。
【図４】本考案の着座姿勢を決定するフロー図である。
【図５】リマインダーを示すもう１つの概略図であって、リマインド通知を表示している。
【図６】リマインダーを示すもう１つの概略図であって、リマインド通知を表示している。
【考案を実施するための形態】
【００１７】
図１及び図２を参照すると、本考案の好ましい実施例による椅子は、椅子本体１０と、着座姿勢決定装置２０と、リマインダー（催告部）３０とを備えている。
【００１８】
椅子本体１０は、座部１１と、背もたれ１２と、座部１１及び背もたれ間に接続された背中支持体１３とを備えている。椅子本体１０は座部１１の底部に接続された台座１４を有し、また椅子本体１０は座部１１の両側に２個の肘掛け１５をそれぞれ有する。複数キャスター１６が椅子本体１０の台座１４の底部に装着されている。ヘッドレスト１７が椅子本体１０の背もたれ１２の頂部に装着されている。ユーザーが椅子１０に座るとき、ヘッドレスト１７はユーザーの頭を支持できる。椅子本体１０はユーザーによって複数キャスター１６で容易に移動できる。
【００１９】
着座姿勢決定装置２０は椅子本体１０に装着されている。着座姿勢決定装置２０は、着座デテクター２１と、背もたれデテクター２２と、マイクロコントローラ２３と、電源モジュール２４とを備えている。着座デテクター２１及び背もたれデテクター２２は座部１１及び背もたれ１２にそれぞれ装着されている。好ましくは、背もたれデテクター２２は、ユーザー、特に人体の上部背中に対応する背もたれ１２の中央上部区域に装着できる。座部１１及び背もたれ１２の表面は、それぞれメッシュや革で作成されているラッピング層を有する。着座デテクター２１及び背もたれデテクター２２はそれぞれラッピング層の内側に配置されている。電源モジュール２４は、バッテリーを有する装着座部を備え、バッテリーは装着座部の内側に搭載され、装着座部は座部１１に装着されている。
【００２０】
着座デテクター２１は、ユーザーが座部１１に着座しているとき着座検知信号ＳＩ．１を発生する。背もたれデテクター２２は、ユーザーが背もたれ１２にもたれ掛かっているとき背もたれ検知信号ＳＩ．２を発生する。マイクロコントローラ２３は、着座デテクター２１と背もたれデテクター２２とに有線でそれぞれ電気的に接続された複数入力部を備え、着座検知信号ＳＩ．１及び背もたれ検知信号ＳＩ．２を受信する。マイクロコントローラ２３は、リマインダー３０に電気的に接続された出力部を備えている。着座デテクター２１と背もたれデテクター２２とは、ノーマリーオープンマイクロスイッチである。ユーザーが座部１１に着座しているとき、着座デテクター２１はマイクロスイッチを押圧することによってＯＮ作動される。着座デテクター２１はＯＮ作動信号を着座検知信号ＳＩ．１として発生することができ、同様にユーザーが背もたれ１２にもたれ掛かっているとき、背もたれ１２はマイクロスイッチを押圧することによってＯＮ作動できる。背もたれ１２はＯＮ作動信号を背もたれ検知信号ＳＩ．２として発生することができる。
【００２１】
マイクロコントローラ２３はマスタースイッチ２５に電気的に接続でき、マスタースイッチ２５はユーザーが容易にタッチできる位置に配置される。例えば、マスタースイッチ２５は、椅子本体１０の肘掛け１５の何れか一方に装着され、ユーザーの必要性、例えば会合中にマイクロコントローラ２３の操作停止にしたがってマイクロコントローラ２３の操作を動作・停止する。マスタースイッチ２５を介してマイクロコントローラ２３の操作を動作・停止することに加えて、マイクロコントローラ２３はリモコン装置（図示せず）にも接続され、ユーザーがマイクロコントローラ２３の操作を動作・停止できる。
【００２２】
図３に示すように、第２の実施例において、マイクロコントローラ２３は着座デテクター２１又は背もたれデテクター２２に無線で接続できる。背もたれデテクター２２は無線送信機２６に電気的に接続され、マイクロコントローラ２３は無線受信機２７に電気的に接続するための入力部を有する。無線受信機２７及び無線送信機２６はリマインド（催告）通知を送信するために相互に接続されている。背もたれデテクター２２が背もたれ検知信号ＳＩ．２を発生するとき、背もたれ検知信号ＳＩ．２は無線受信機２７及び無線送信機２６からマイクロコントローラ２３に無線伝送で送信できる。したがって、第２の実施例において、マイクロコントローラ２３及び着座デテクター２１間の有線接続は不要とすることができる。
【００２３】
着座姿勢決定装置２０の操作は以下に説明する。図１、図２、図４に示すように、マイクロコントローラ２３が着座検知信号ＳＩ．１を受信するとき（Ｓ１０１）、マイクロコントローラ２３は、背もたれ検知信号ＳＩ．２も第１の期間ｔ１内に受信されたか（Ｓ１０２）どうかを決定し、ここで第１の期間ｔ１は約１分である。受信されなかった（ＮＯ）ならば、ユーザーが座部１１に着座しているだけであって、背もたれ１２にもたれ掛かっていないことを表示し、これは正しくない着座姿勢とみなされ、マイクロコントローラ２３が背もたれ検知信号ＳＩ．２を受信するまでマイクロコントローラ２３はリマインダー３０を動作させてリマインド通知を発生する（Ｓ１０３）。例えば、リマインダー３０は有線でマイクロコントローラ２３に接続されたスピーカであり、リマインダー３０を動作させリマインド通知として短い「ビープ」音を繰り返し発生する。マイクロコントローラ２３が背もたれ検知信号ＳＩ．２を第１の期間ｔ１内に受信するとき、ユーザーが同時に座部１１に着座し、かつ背もたれ１２にもたれ掛かっていることを表示し、マイクロコントローラ２３は、着座検知信号ＳＩ．１及び背もたれ検知信号ＳＩ．２の両者を受信するとき、カウントダウンし、受信された着座検知信号ＳＩ．１の継続期間ｔａが第２の期間ｔ２に達しているか（Ｓ１０５）どうかを決定し、ここで第２の期間ｔ２は約１〜２時間である。
【００２４】
マイクロコントローラ２３が背もたれ検知信号ＳＩ．２を受信することを停止する（Ｓ１０４）とき、マイクロコントローラ２３は、さらに背もたれ検知信号ＳＩ．２の中止の継続期間ｔｂが第３の期間ｔ３に達しているか（Ｓ１０６）どうかを決定し、ここで第３の期間ｔ３は約１分である。達している（ＹＥＳ）ならば、ユーザーが未だ背もたれ１２にもたれ掛かっていないことを表示し、マイクロコントローラ２３はリマインダー３０を動作させリマインド通知を発生し（Ｓ１０７）、例えばマイクロコントローラ２３が背もたれ検知信号ＳＩ．２を再度受信するまでマイクロコントローラ２３はリマインダー３０を動作させリマインド通知として短い「ビープ」音を繰り返し発生する。
【００２５】
ｔａ＜ｔ２（Ｓ１０５）のとき、ユーザーが第３の期間ｔ３内に座部１１から離れていることを表示し、マイクロコントローラ２３はＳ１０１を再実行する。反対に、ｔａ≧ｔ２のとき、ユーザーが座部１１に長時間着座していることを表示し、体を移動する必要があるとされ、マイクロコントローラ２３はリマインダー３０を動作させリマインド通知を発生し（Ｓ１０８）、例えば、リマインダー３０を動作させリマインド通知として短い「動き回って」音声を繰り返し放音し、これはしばらくの間、例えば１０秒間続けることができる。
【００２６】
マイクロコントローラ２３がリマインド通知を発生するとき、マイクロコントローラ２３は、受信された着座検知信号ＳＩ．１の継続期間ｔａが第４の期間ｔ４に達しているか（Ｓ１０９）どうかをさらに決定し、ここで第４の期間ｔ４は約１０〜３０分である。達している（ＹＥＳ）ならば、マイクロコントローラ２３は、Ｓ１０８を再実行し、リマインダー３０を動作させリマインド通知を発生してユーザーに対して繰り返しリマインド（催告）することになる。マイクロコントローラ２３は受信された着座検知信号ＳＩ．１の継続期間ｔａが第４の期間ｔ４に達していないことを決定するならば、ユーザーが第４の期間ｔ４内に座部１１から離れていることを表示し、マイクロコントローラ２３はＳ１０１を再実行する。
【００２７】
本考案の椅子の効果を強化するために、リマインダー３０は、伝送路、ＵＳＢインターフェース又は無線伝送インターフェース、例えばBluetooth（登録商標）を介してマイクロコントローラ２３に接続されたスマートフォン、タブレットＰＣ、ノートブックまたは他の電子機器とすることができる。図１及び図５に示すように、リマインダー３０はスクリーン３１を有するタブレットＰＣである。マイクロコントローラ２３が第１の期間ｔ１内に背もたれ検知信号ＳＩ．２を受信しなかったとき（Ｓ１０２）、タブレットＰＣのスクリーン３１は第１の略図３１１、第２の略図３１２を表示する。第１の略図３１１はユーザーが背もたれ１２にもたれ掛かっていない状態を示し、第２の略図３１２はユーザーが背もたれ１２にもたれ掛かっている状態を示し、矢印記号３１３は第１の略図３１１から第２の略図３１２への向きとなっており、ユーザーが正しくない姿勢から正しい姿勢に着座姿勢を調整すべきであることを示しており、ここで、またタブレットＰＣはリマインド音として短い「ビープ」音を繰り返し発生し、又は着座姿勢を調整するようユーザーにリマインド（催告）する振動を発生する。
【００２８】
同様に、図１及び図６に示すように、リマインダー３０はタブレットＰＣである。タブレットＰＣのスクリーン３１は第１の略図３１１、第２の略図３１２を表示する（Ｓ１０８）。第１の略図３１１はユーザーが椅子本体１０に長時間着座している状態を示し、第２の略図３１２はユーザーが椅子本体１０から離れている状態を示し、矢印記号３１３は第１の略図３１１から第２の略図３１２への向きとなっており、ユーザーが椅子本体１０から離れて体を移動すべきであることを示しており、ここで、またタブレットＰＣはリマインド（催告）音声「動き回って」を放音し又はユーザーに椅子本体１０から離れて体を移動することをリマインド（催告）する振動を発生する。
【００２９】
本考案の多数の特色や長所が前述の明細書において考案の構造や特徴の詳細とともに説明されてきたけれども、開示はあくまでも例示に過ぎないものである。変更は詳細において、特に添付した実用新案登録請求の範囲が表現している用語の広く一般的な意味により示される十分な範囲に対して考案の原理内で形状、寸法、部品の配置の事項において可能である。
【符号の説明】
【００３０】
１０・・・椅子本体
２０・・・着座姿勢決定装置
３０・・・リマインダー（催告部）
１１・・・座部
１２・・・背もたれ
１３・・・背中支持体
１４・・・台座
１５・・・肘掛け
１６・・・キャスター
１７・・・ヘッドレスト
２１・・・着座デテクター
２２・・・背もたれデテクター
２３・・・マイクロコントローラ
２４・・・電源モジュール
２５・・・マスタースイッチ
２６・・・無線送信機
２７・・・無線受信機
３１・・・スクリーン
３１１・・・第１の略図
３１２・・・第２の略図
３１３・・・矢印記号
ＳＩ．１・・・着座検知信号
ＳＩ．２・・・背もたれ検知信号
ｔ１・・・第１の期間
ｔ２・・・第２の期間
ｔ３・・・第３の期間
ｔ４・・・第４の期間
ｔａ・・・継続期間
ｔｂ・・・継続期間
【図１】
0003194304.tif 000003
【図２】
0003194304.tif 000004
【図３】
0003194304.tif 000005
【図４】
0003194304.tif 000006
【図５】
0003194304.tif 000007
【図６】
0003194304.tif 000008